(57)【要約】【課題】上枠と縦枠との組立構造および作業が簡単で容易なエレベータの三方枠を提供する。【解決手段】板金折り曲げ加工による縦枠と上枠とが連結されたエレベータの三方枠において、係合片を受け入れる係合孔が上枠の主面に設けられ、係合片が、縦枠の頂端縁から長手方向に連続して一体に延びた延長部分であって、上枠の主面が縦枠の頂端縁に接触するまで上枠の係合孔に挿入された位置で、係合孔を貫通する貫通部と、係合孔から突出する突出部とを有し、突出部が捻りあるいは折り曲げなどの塑性変形されたエレベータの三方枠。【効果】分品点数が少なく、組立作業時間が大幅に削減できる。【選択図】図２
2011026024.tif 000002
【特許請求の範囲】
【請求項１】
板金折り曲げ加工による縦枠の頂部に板金折り曲げ加工による上枠が連結されたエレベータの三方枠において、
上記上枠に設けられた係合孔と、
上記縦枠に設けられ、上記上枠の上記係合孔に挿入された位置で塑性変形されて、上記縦枠と上枠とを互いに固定する係合片とを備えたことを特徴とするエレベータの三方枠。
【請求項２】
上記係合片を受け入れる係合孔が上記上枠の主面部に設けられ、
上記係合片が、上記縦枠の頂端縁から長手方向に連続して一体に延びた延長部分であって、上記上枠の主面部が上記縦枠の上記頂端縁に接触するまで上記上枠の上記係合孔に挿入された位置で、上記係合孔を貫通する貫通部と、上記係合孔から突出する突出部とを有し、
上記突出部が塑性変形されたことを特徴とする請求項１に記載のエレベータの三方枠。
【請求項３】
上記塑性変形が捻り変形であることを特徴とする請求項１あるいは２に記載のエレベータの三方枠。
【請求項４】
上記塑性変形が折り曲げ変形であることを特徴とする請求項１あるいは２に記載のエレベータの三方枠。
【請求項５】
上記係合片が、上記突出部に折り曲げ部分を形成する切り込みを持ち、上記塑性変形が上記折り曲げ部分の折り曲げ変形であることを特徴とする請求項４に記載のエレベータの三方枠。
【請求項６】
上記切り込みが、上記貫通部と上記突出部との間に設けられ、上記係合片の幅方向にほぼ平行に延び、上記折り曲げ部分が、上記切り込みの深さ寸法に対応する部分であることを特徴とする請求項５に記載のエレベータの三方枠。
【請求項７】
上記切り込みが、上記上枠の上記主面部に対して傾斜していて、上記折り曲げ部分の折り曲げ変形により、上記折り曲げ部分が上記上枠の上記主面部に乗り上げるように構成されていることを特徴とする請求項６に記載のエレベータの三方枠。
【請求項８】
上記折り曲げ変形が、上記突出部の少なくとも一部の、上記係合片の幅方向に平行な線に沿った折り曲げ変形であることを特徴とする請求項４あるいは５に記載のエレベータの三方枠。
【請求項９】
上記切り込みが、上記係合片に設けられたほぼＵ字型の切り込み溝であることを特徴とする請求項５あるいは８に記載のエレベータの三方枠。
【発明の詳細な説明】
【技術分野】
【０００１】
この発明はエレベータの三方枠に関し、特にエレベータの三方枠の組立構造に関するものである。
【背景技術】
【０００２】
エレベータの乗場出入口を囲む三方枠は、二本の縦枠と縦枠の頂部に跨って連結された上枠とで構成され、出入口は乗場の戸によって開閉されるようにしてある。縦枠と上枠との連結はポップナットとボルトを用いて行われているため、縦枠および上枠の連結部には折り曲げて形成したボルト締結用のフランジ部が設けられており、補強用の取付板、当て補強板、つなぎ材および各種裏板なども用いられている（例えば特許文献１参照）。
【先行技術文献】
【特許文献】
【０００３】
【特許文献１】特開２００１−８０８６０号公報
【発明の概要】
【発明が解決しようとする課題】
【０００４】
このような従来の上枠と縦枠の組立構造では組立あるいは据付に時間がかかる。また部品点数も多く製作コストも高いといった問題があった。
【０００５】
従って、この発明の目的は、上枠と縦枠との組立構造が簡単で、組立が容易なエレベーの三方枠を提供することである。
【課題を解決するための手段】
【０００６】
この発明によれば、板金折り曲げ加工による縦枠の頂部に板金折り曲げ加工による上枠が連結されたエレベータの三方枠において、上記上枠に設けられた係合孔と、上記縦枠に設けられ、上記上枠の上記係合孔に挿入された位置で塑性変形されて、上記縦枠と上枠とを互いに固定する係合片とを備えたことを特徴とするエレベータの三方枠が提供される。
【発明の効果】
【０００７】
この発明のエレベータの三方枠によれば、分品点数が少なく、組立作業時間が大幅に削減できる。
【図面の簡単な説明】
【０００８】
【図１】この発明のエレベータの三方枠の実施の形態１を示す概略斜視図である。
【図２】図１の円Ａで囲んだ部分の拡大斜視図である。
【図３】図２の組立前の状態を示す斜視図である。
【図４】図２の円Ｂで囲んだ部分の頂面図である。
【図５】この発明のエレベータの三方枠の実施の形態２を示す図２と同様の拡大斜視図である。
【図６】図５の組立前の状態を示す斜視図である。
【図７】図６の係合片の拡大側面図である。
【図８】この発明のエレベータの三方枠の実施の形態３を示す図２と同様の拡大斜視図である。
【図９】図８の組立前の状態を示す斜視図である。
【図１０】図９の係合片の拡大側面図である。
【発明を実施するための形態】
【０００９】
以下、この発明の実施の形態について説明する。
【００１０】
実施の形態１．
図１〜４に示すこの発明のエレベータの三方枠は、
建物の乗場床１と壁２に取付られてエレベータの戸３によって開閉される乗場出入口４を形成する門型の構造体である。三方枠は、板金折り曲げ加工による２本の平行な縦枠５と、この縦枠５の頂部に連結された同じく板金折り曲げ加工による上枠６とを備えている。縦枠５は、乗場出入口４の内側側壁となる主面部７と、主面部７の側縁からほぼ直角に折り曲げられた立ち上がり部８と立ち上がり部８からほぼ直角に折り曲げられた折り返し部９とを備えている。上枠６も同様に、乗場出入口４の内側頂壁となる主面部１０と、主面部１０の側縁からほぼ直角に折り曲げられた立ち上がり部１１と立ち上がり部１１からほぼ直角に折り曲げられた折り返し部１２とを備えている。縦枠５の立ち上がり部８および上枠６の立ち上がり部１１は乗場出入口４の前面となって化粧枠を形成している。
【００１１】
縦枠５と上枠６との結合は、上枠６の主面部７に設けられた係合孔１３と、縦枠５に設けられて縦枠５の係合孔１３に挿入された位置で塑性変形されて、縦枠５と上枠６とを互いに固定する係合片１４とを備えた結合構造により行われている。すなわち、図４に特に良く示されているように、縦枠５の係合片１４は、縦枠５の頂端縁１５から長手方向に連続して一体に延びて突出した延長部分であって、図示の例では、縦枠５の主面部７の頂端縁１５に３個設けられており、２つの折り返し部９の頂端縁１５のそれぞれに１個設けられている。係合片１４はそれぞれ、上枠６の主面部１０が縦枠５の頂端縁１５に接触するまで上枠６の係合孔１３に挿入された位置で、係合孔１３を貫通して係合孔１３内に入っている貫通部１６と、この貫通部１６の延長部であって係合孔１３から突出する突出部１７とを有している。上枠６の係合孔１３は、縦枠５の係合片１４を受け入れられるように、係合片１４に対応した個数と位置で、上枠６の主面部１０に設けられている。係合孔１３は、係合片１４にぴったりと嵌合するような寸法であるのが望ましい。
【００１２】
縦枠５と上枠６との結合作業に当たっては、先ず図３に示すように、縦枠５の係合片１４を上枠６の係合孔１３に挿入して、上枠６の主面部１０を縦枠５の頂端縁１５に接触させ、係合片１４の貫通部１６が係合孔１３を貫通し、突出部１７が係合孔１３から突出した位置にする。次に図４に示すように、想像線で示す例えばモンキーレンチ等の工具１８で、突出部１７を咥え、水平面内で回転させると、係合片１４の突出方向に平行な軸心回りに捻られて塑性変形される。この捻り変形により係合片１４の突出部１７が上枠６の係合孔１３から抜け出ることができなくなって、上枠６が縦枠５に結合される。
【００１３】
このとき、モンキーレンチは咥え部に比較して柄が長いので軽い力で係合片１４を曲げることができる。例えば差込部幅２０ミリとしてモンキースパナの咥え隙間調整ネジ部４０ミリとして柄の長さ２５０ミリとすると２９０／２０＝１４．５倍のモーメントが掛けられる。また係合片１４は三方枠の正面および背面（すなわち縦枠５の立ち上がり部８および上枠６の立ち上がり部１１）から２０ミリ程度間隔をあけて配置するほうが曲げ作業の工具１８が上枠６の立ち上がり部１１あるいは折り返し部１２に当たらないので作業は容易である。なお、係合片１４の突出部１７は曲げるだけでなくねじり込むほうが抜止としての効果が大きい。
【００１４】
このようにこのエレベータの三方枠においては、ボルト類を使わないので安価に三方枠を製作することができ、また組立および据付の作業の省力化ができる。また差込部の幅が短いので差込溝の中央の両側の板場が自重でダレることはない。このため従来使用していた当て板が不要となる、また縦枠５の係合片１４以外の部分すなわち頂端縁１５が、上枠６の荷重を全体として分散させて支えるため、位置決め部としても作用して、安定して上枠６を支持できる。
【００１５】
実施の形態２．
図５〜７に示すエレベータの三方枠においては、縦枠５の係合片１４が、突出部１７に折り曲げ部分１９を形成する切り込み２０を持ち、係合片１４に与えられる塑性変形が、係合片１４の延長方向にほぼ平行な折り目２１に沿った折り曲げ部分１９の折り曲げ変形である。この切り込み２０は、図７に詳細を示すように、係合孔１３を通る貫通部１６と係合孔１３から出た突出部１７との間に設けられていて、係合片の幅方向に対して僅かな角度θだけ傾斜しているがほぼ平行な方向に延びており、切り込みの深さ寸法の範囲内に折り曲げ部分１９を形成している。
【００１６】
このエレベータの三方枠においても、縦枠５の係合片１４を上枠６の係合孔１３に挿入して、工具１８によって折り曲げ部分１９の少なくとも一部を咥え、工具１８を水平面内で回転させれば、図５に示すように、係合片１４の折り曲げ部分１９が係合片１４の延長方向にほぼ平行な折り目２１に沿って折り曲げられる。このとき注目すべきは、切り込み２０の特にその上縁すなわち折り曲げ部分１９の下縁２２が、切り込み２０の入口部分では縦枠５の頂端縁１５上に乗せられた上枠６の主面部１０の上面よりも高い位置にあり、切り込み２０の終端部分では上枠６の主面部１０の上面よりも低い位置にあって、上枠６の主面部１０に対して角度θだけ傾斜していることである。このため、折り曲げ部分１９を工具１８によって折り曲げ変形させると、折り曲げ部分１９の下縁２２が上枠６の主面部１０上に乗り上げることになり、縦枠５と上枠６との結合が強固になる。
【００１７】
このエレベータの三方枠によれば、係合片１４の端をモンキーレンチ等の工具１８によって咥え、水平面内で回転させることにより、折り目２１に沿った折り曲げ部分１９が形成されて、折り曲げ部分１９の下縁２２と主面部７の頂端縁１５との間に上枠６の主面部１０を挟持することができる。このとき折り曲げ部分１９の下縁２２の傾斜θにより、下縁２２が上枠６の主面部１０上に乗り上げて、上枠６の主面部１０を縦枠５の頂端縁１５に押し付ける作用がはたらき、上枠６を確実に締結することができる。また係合片１４の端をモンキーレンチ等の工具１８先端で咥えるため（例えば咥え部長さ８ミリとして咥え隙間調整ネジ部４０ミリと柄の長さ２５０ミリとすれば２９０／８＝３６倍のモーメントを掛けることが可能である。）、軽い力で曲げ、締結することができる。
【００１８】
実施の形態３．
図８から１０に示すエレベータの三方枠においては、係合片１４の突出部１７に一部が貫通部１６に掛かったほぼ逆Ｕ字型の切り欠きあるいは切り込み溝２３が設けられていて、この切り込み溝２３によって形成された折り曲げ部分２４が折り曲げ変形されて縦枠５と上枠６とを結合している。図１０に示すように、切り込み溝２３は、係合片１４の突出部１７に設けられているが、そのＵの脚部の先端部は貫通部１６内に設けられている。このため、マイナスドライバ等の工具２５を切り込み溝２３に挿入してこじり、折り曲げ部分２４をマイナスドライバ等の工具２５によって折り曲げ変形すると、折り曲げ部分２４は、上枠６の主面部１０の係合孔１３の縁に沿って、すなわち係合片１４の幅方向に平行な線に沿って折り曲げられ、上枠６を縦枠５の頂端縁１５に押しつけて固定することができる。
【００１９】
このような係合片１４を用いれば、結合作業はより簡単になり、使用する工具もより簡単なものでよい。
【００２０】
以上に図示して説明した装置は単なる例であって様々な変形が可能であり、またそれぞれの具体例の特徴を全てあるいは選択的に組み合わせて用いることもできる。例えば、塑性変形として矩形の係合片１４の突出部１７全体を上枠６の係合孔１３の縁を利用して係合片１４の幅方向に平行な線に沿って折り曲げ変形することもできる。また、これらの様々な折り曲げ変形を組み合わせて用いることもできる。
【産業上の利用可能性】
【００２１】
この発明はエレベータの三方枠に利用できるものである。
【符号の説明】
【００２２】
１  乗場床、２  壁、３  戸、４  乗場出入口、５  縦枠、６  上枠、７  主面部、８、１１  立ち上がり部、９、１２  折り返し部、１０  主面部、１３  係合孔、１４  係合片、１５  頂端縁、１６  貫通部、１７  突出部、１８、２５  工具、１９、２４  折り曲げ部分、２０  切り込み、２１  折り目、２２  下縁、２３  切り込み溝。
【図１】
2011026024.tif 000003
【図２】
2011026024.tif 000004
【図３】
2011026024.tif 000005
【図４】
2011026024.tif 000006
【図５】
2011026024.tif 000007
【図６】
2011026024.tif 000008
【図７】
2011026024.tif 000009
【図８】
2011026024.tif 000010
【図９】
2011026024.tif 000011
【図１０】
2011026024.tif 000012